【手続補正書】
【提出日】令和2年9月9日(2020.9.9)
【手続補正１】
【補正対象書類名】特許請求の範囲
【補正対象項目名】全文
【補正方法】変更
【補正の内容】
【特許請求の範囲】
【請求項１】
複数の識別情報を変動表示可能な可変表示手段と、
当該単位遊技における当籤役を決定可能な役決定手段と、
前記可変表示手段の変動表示を停止させるための操作を検出可能な停止操作検出手段と、
前記役決定手段により決定された当籤役と、前記停止操作検出手段により検出された停止操作態様とに基づいて前記可変表示手段の変動表示を停止させる停止制御手段と、
前記可変表示手段の停止態様に応じた特典を付与可能な特典付与手段と、
遊技者にとって有利な停止操作態様を報知可能な報知手段と、
前記報知手段による報知が許容されない非有利状態と、前記報知手段による報知が許容されうる有利状態とを制御可能な状態制御手段と、を備え、
前記有利状態には、遊技価値が減少する期間である通常有利状態と、遊技価値が増加する期間である増加有利状態とが少なくとも含まれ、
前記有利状態が開始されてから予め定められた規定ゲーム数の消化されたときに第１の終了条件が成立したと判断し、前記有利状態を終了させるゲーム数リミット手段と、
前記増加有利状態が開始されてから増加した遊技価値の数が予め定められた規定数に到達したときに第２の終了条件が成立したと判断し、前記有利状態を終了させる差数リミット手段と、をさらに備え、
１ゲームにおいて前記第１の終了条件及び前記第２の終了条件の両方が成立しうる場合は、前記ゲーム数リミット手段と前記差数リミット手段のうちいずれか一方のみによる前記有利状態の終了処理を行うことを特徴とする遊技機。
【請求項２】
１ゲームにおいて前記第１の終了条件及び前記第２の終了条件の両方が成立しうる場合は、前記ゲーム数リミット手段による前記有利状態の終了処理を行うことを特徴とする請求項１に記載の遊技機。
【請求項３】
複数の識別情報を変動表示可能な可変表示手段と、
当該単位遊技における当籤役を決定可能な役決定手段と、
前記可変表示手段の変動表示を停止させるための操作を検出可能な停止操作検出手段と、
前記役決定手段により決定された当籤役と、前記停止操作検出手段により検出された停止操作態様とに基づいて前記可変表示手段の変動表示を停止させる停止制御手段と、
前記可変表示手段の停止態様に応じた特典を付与可能な特典付与手段と、
遊技者にとって有利な停止操作態様を報知可能な報知手段と、
前記報知手段による報知が許容されない非有利状態と、前記報知手段による報知が許容されうる有利状態とを制御可能な状態制御手段と、を備え、
前記有利状態には、遊技価値が減少する期間である通常有利状態と、遊技価値が増加する期間である増加有利状態とが少なくとも含まれ、
前記有利状態が開始されてから予め定められた規定ゲーム数の消化されたときに第１の終了条件が成立したと判断し、前記有利状態を終了させるゲーム数リミット手段と、
前記増加有利状態が開始されてから増加した遊技価値の数が予め定められた規定数に到達したときに第２の終了条件が成立したと判断し、前記有利状態を終了させる差数リミット手段と、をさらに備え、
１ゲームにおいて前記第１の終了条件及び前記第２の終了条件の両方が成立しうる場合は、前記ゲーム数リミット手段と前記差数リミット手段による前記有利状態の終了処理を行うことを特徴とする遊技機。
【請求項４】
前記有利状態が終了する場合に所定の信号を外部装置に対して出力可能な信号出力手段を備え、
前記信号出力手段は、前記ゲーム数リミット手段により前記有利状態が終了する場合と、前記差数リミット手段により前記有利状態が終了する場合とで、同じ種類の前記所定の信号を出力することを特徴とする請求項１乃至３のいずれか１項に記載の遊技機。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
本発明は、有利状態が長く継続し過ぎることに起因して射幸性が過度に高くなってしまうことを抑制しつつ、遊技の制御に関する処理負荷を軽減することができる遊技機を提供することを目的とする。
【手続補正４】
【補正対象書類名】明細書
【補正対象項目名】００１０
【補正方法】変更
【補正の内容】
【００１０】
複数の識別情報を変動表示可能な可変表示手段（例えば、リール３Ｌ，３Ｃ，３Ｒ及び図柄表示領域４）と、
当該単位遊技における当籤役を決定可能な役決定手段（例えば、メインＣＰＵ１０１）と、
前記可変表示手段の変動表示を停止させるための操作を検出可能な停止操作検出手段（例えば、ストップスイッチ）と、
前記役決定手段により決定された当籤役と、前記停止操作検出手段により検出された停止操作態様とに基づいて前記可変表示手段の変動表示を停止させる停止制御手段（例えば、メインＣＰＵ１０１）と、
前記可変表示手段の停止態様に応じた特典を付与可能な特典付与手段（例えば、メインＣＰＵ１０１）と、
遊技者にとって有利な停止操作態様を報知可能な報知手段と、
前記報知手段による報知が許容されない非有利状態（例えば、非有利区間）と、前記報知手段による報知が許容されうる有利状態（例えば、有利区間）とを制御可能な状態制御手段（例えば、メインＣＰＵ１０１）と、を備え、
前記有利状態には、遊技価値が減少する期間である通常有利状態と、遊技価値が増加する期間である増加有利状態とが少なくとも含まれ、
前記有利状態が開始されてから予め定められた規定ゲーム数の消化されたときに第１の終了条件が成立したと判断し、前記有利状態を終了させるゲーム数リミット手段と、
前記増加有利状態が開始されてから増加した遊技価値の数が予め定められた規定数に到達したときに第２の終了条件が成立したと判断し、前記有利状態を終了させる差数リミット手段と、をさらに備え、
１ゲームにおいて前記第１の終了条件及び前記第２の終了条件の両方が成立しうる場合は、前記ゲーム数リミット手段と前記差数リミット手段のうちいずれか一方のみによる前記有利状態の終了処理を行うことを特徴とする遊技機。
【手続補正５】
【補正対象書類名】明細書
【補正対象項目名】００１１
【補正方法】変更
【補正の内容】
【００１１】
１ゲームにおいて前記第１の終了条件及び前記第２の終了条件の両方が成立しうる場合は、前記ゲーム数リミット手段による前記有利状態の終了処理を行うことを特徴とする上記に記載の遊技機。
【手続補正６】
【補正対象書類名】明細書
【補正対象項目名】００１２
【補正方法】変更
【補正の内容】
【００１２】
複数の識別情報を変動表示可能な可変表示手段（例えば、リール３Ｌ，３Ｃ，３Ｒ及び図柄表示領域４）と、
当該単位遊技における当籤役を決定可能な役決定手段（例えば、メインＣＰＵ１０１）と、
前記可変表示手段の変動表示を停止させるための操作を検出可能な停止操作検出手段（例えば、ストップスイッチ）と、
前記役決定手段により決定された当籤役と、前記停止操作検出手段により検出された停止操作態様とに基づいて前記可変表示手段の変動表示を停止させる停止制御手段（例えば、メインＣＰＵ１０１）と、
前記可変表示手段の停止態様に応じた特典を付与可能な特典付与手段（例えば、メインＣＰＵ１０１）と、
遊技者にとって有利な停止操作態様を報知可能な報知手段と、
前記報知手段による報知が許容されない非有利状態（例えば、非有利区間）と、前記報知手段による報知が許容されうる有利状態（例えば、有利区間）とを制御可能な状態制御手段（例えば、メインＣＰＵ１０１）と、を備え、
前記有利状態には、遊技価値が減少する期間である通常有利状態と、遊技価値が増加する期間である増加有利状態とが少なくとも含まれ、
前記有利状態が開始されてから予め定められた規定ゲーム数の消化されたときに第１の終了条件が成立したと判断し、前記有利状態を終了させるゲーム数リミット手段と、
前記増加有利状態が開始されてから増加した遊技価値の数が予め定められた規定数に到達したときに第２の終了条件が成立したと判断し、前記有利状態を終了させる差数リミット手段と、をさらに備え、
１ゲームにおいて前記第１の終了条件及び前記第２の終了条件の両方が成立しうる場合は、前記ゲーム数リミット手段と前記差数リミット手段による前記有利状態の終了処理を行うことを特徴とする遊技機。
【手続補正７】
【補正対象書類名】明細書
【補正対象項目名】００１３
【補正方法】変更
【補正の内容】
【００１３】
前記有利状態が終了する場合に所定の信号を外部装置に対して出力可能な信号出力手段を備え、
前記信号出力手段は、前記ゲーム数リミット手段により前記有利状態が終了する場合と、前記差数リミット手段により前記有利状態が終了する場合とで、同じ種類の前記所定の信号を出力することを特徴とする上記に記載の遊技機。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
上記構成の遊技機によれば、有利状態が長く継続し過ぎることに起因して射幸性が過度に高くなってしまうことを抑制しつつ、遊技の制御に関する処理負荷を軽減することができる。